(57)【特許請求の範囲】
【請求項１】
外表面に開口するあり溝を有する取付部材に、前記あり溝内をスライド可能なスライダを用いて、前記スライダと係合する他部材を当該取付部材の所定位置に取り付けるために、前記スライダを保持して前記取付部材に位置決めするスライダ支持具であって、
前記あり溝内に収納可能な板状に構成された天板部材と、
前記天板部材に設けられ、前記スライダを保持し前記天板部材に取り付けるスライダ保持部と、
前記天板部材に設けられ、前記あり溝の幅方向に変形可能で、前記あり溝の開口縁を押圧することにより、前記スライダを前記あり溝内に位置決め可能な、対で構成された溝押さえ部と、
を備えることを特徴とする、スライダ支持具。
【請求項２】
前記天板部材は、前記あり溝の開口を被覆する板状に構成され、裏面側に前記溝押さえ部及び前記スライダ保持部を備え、
前記スライダ保持部及び天板部材は、前記天板部材の裏面側に位置する前記スライダに前記天板部材の表面側から到達可能な通し孔を備えることを特徴とする、請求項１に記載のスライダ支持具。
【請求項３】
前記溝押さえ部は、前記あり溝の開口縁に対向するように前記天板部材の裏面に立設された案内リブと、前記案内リブの外表面に突出した滑り止め突起で構成されていることを特徴とする、請求項２に記載のスライダ支持具。
【請求項４】
前記案内リブは、前記あり溝の開口の幅に対応して離間し、互いに平行に対向配置されていることを特徴とする、請求項３に記載のスライダ支持具。
【請求項５】
前記天板部材は、前記案内リブの間にスリットを備え、前記スリットの周囲部分が前記スリット内側に弾性変形することで前記溝押さえ部の間の幅寸法が変更可能であることを特徴とする、請求項４に記載のスライダ支持具。
【請求項６】
前記スライダ保持部は、前記他部材の固定部の離間距離に対応した離間距離を持って一対設けられていることを特徴とする、請求項１から５のいずれか１つに記載のスライダ支持具。
【請求項７】
前記他部材は、郵便受けであり、
前記取付部材は、前記郵便受けを取り付ける門柱であることを特徴とする、請求項１から６のいずれか１つに記載のスライダ支持具。
【発明の詳細な説明】
【技術分野】
【０００１】
本発明は、あり溝を有する取付部材に他部品を取り付けるために、あり溝内に配置されるスライダを支持するスライダ支持具に関する。
【背景技術】
【０００２】
従来、住宅等の門柱などにおいては、例えば、郵便受けなどの他部材を固定するために、表面に長手方向に伸びるＴスロットなどを備えた機能性部材が頻繁に用いられる。この機能性部材の例としては、例えば、特許文献１（特開２００７−２１５８００号公報）などに開示されている。
【０００３】
この機能性部材は、郵便受けを支える支柱として用いられており、両側面に長手方向に沿って設けられ外側に開口したあり溝が設けられている。当該支柱に他の部材としての郵便受けを取り付けるには上側からナットなどのスライダをあり溝内に挿入し、スライダを所定位置まで移動させたあと止めネジで取り付け金具を固定する。
【先行技術文献】
【特許文献】
【０００４】
【特許文献１】特開２００７−２１５８００号公報
【発明の概要】
【発明が解決しようとする課題】
【０００５】
しかし、特許文献１の取り付け構造のようにあり溝内にスライダを挿入して、他の部材を固定する場合、あり溝の外側からスライダを落下させないように支えておく必要があったため、部材の固定位置まで移動させる際に不注意でスライダを下に落としてしまうこともあり、作業の煩雑性が問題であった。
【０００６】
したがって、本発明が解決しようとする技術的課題は、あり溝を有する機能性部材に他の部品を取り付ける際の作業の煩雑性を解消することができる機能性部材用取り付け部品のスライダ支持具を提供することである。
【課題を解決するための手段】
【０００７】
本発明は、上記技術的課題を解決するために、以下の構成のスライダ支持具を提供する。
【０００８】
本発明の第１態様によれば、  外表面に開口するあり溝を有する取付部材に、前記あり溝内をスライド可能なスライダを用いて、前記スライダと係合する他部材を当該取付部材の所定位置に取り付けるために、前記スライダを保持して前記取付部材に位置決めするスライダ支持具であって、
前記あり溝内に収納可能な板状に構成された天板部材と、
前記天板部材に設けられ、前記スライダを保持し前記天板部材に取り付けるスライダ保持部と、
前記天板部材に設けられ、前記あり溝の幅方向に変形可能で、前記あり溝の開口縁を押圧することにより、前記スライダを前記あり溝内に位置決め可能な、対で構成された溝押さえ部と、
を備えるスライダ支持具を提供する。
【０００９】
本発明の第２態様によれば、前記天板部材は、前記あり溝の開口を被覆する板状に構成され、裏面側に前記溝押さえ部及び前記スライダ保持部を備え、
前記スライダ保持部及び天板部材は、前記天板部材の裏面側に位置する前記スライダに前記天板部材の表面側から到達可能な通し孔を備えることを特徴とする、第１態様のスライダ支持具を提供する。
【００１０】
本発明の第３態様によれば、前記溝押さえ部は、前記あり溝の開口縁に対向するように前記天板部材の裏面に立設された案内リブと、前記案内リブの外表面に突出した滑り止め突起で構成されていることを特徴とする、第２態様のスライダ支持具を提供する。
【００１１】
本発明の第４態様によれば、前記案内リブは、前記あり溝の開口の幅に対応して離間し、互いに平行に対向配置されていることを特徴とする、第３態様のスライダ支持具を提供する。
【００１２】
本発明の第５態様によれば、前記天板部材は、前記案内リブの間にスリットを備え、前記スリットの周囲部分が前記スリット内側に弾性変形することで前記溝押さえ部の間の幅寸法が変更可能であることを特徴とする、第４態様のスライダ支持具を提供する。
【００１３】
本発明の第６態様によれば、前記スライダ保持部は、前記他部材の固定部の離間距離に対応した離間距離を持って一対設けられていることを特徴とする、第１から第５態様のいずれか１つのスライダ支持具を提供する。
【００１４】
本発明の第７態様によれば、前記他部材は、郵便受けであり、
前記取付部材は、前記郵便受けを取り付ける門柱であることを特徴とする、第１から第６態様のいずれか１つのスライダ支持具を提供する。
【発明の効果】
【００１５】
本発明によれば、あり溝の開口縁を押圧する溝押さえ部を有するため、スライダ支持具をあり溝の任意の位置に位置決めすることができる。取付部材のあり溝は、通常、Ｔスロットのように、開口部分の幅寸法が溝幅よりも狭く構成されているため、当該開口部分を利用してナットなどのスライダをあり溝内に位置決めし、さらに、溝内に位置するスライダの溝延在方向両端を挟持することで、スライダ支持具に指示されたスライダを溝内へ導入することも容易である。
【００１６】
したがって、本発明によれば、スライダをあり溝の任意の位置に位置決めすることができるため、取付部材に部品を取り付ける際にスライダを外側から支える必要がなく、他部材の取り付け作業の煩雑性を解消することができる。特に、あり溝が上下方向に伸びる門柱などの支柱などに用いることにより、スライダの落下を防止できるため、作業の煩雑性をより軽減することができる。
【図面の簡単な説明】
【００１７】
【図１】門柱に郵便受けを取り付ける際に本発明の実施形態にかかるスライダ支持具を使用した状態を示す模式図である。
【図２】本発明の実施形態にかかるスライダ支持具の構成を示す平面図である。
【図３】図２のスライダ支持具の構成を示す側面図である。
【図４】図２のスライダ支持具の構成を示す底面図である。
【図５】図４のＶ−Ｖ線における断面図である。
【図６】図４の部分拡大図である。
【図７】図２のスライダ支持具にナットを取り付けた状態を示す斜視図である。
【図８】図２のスライダ支持具をＴスロットに挿入する状態を示す斜視図である。
【図９】案内リブがＴスロットの開口縁によって押し込まれ変形した状態を示す模式図である。
【図１０】図４のＸ−Ｘ線における断面図である。
【図１１】変形例にかかるスライダ支持具の部分拡大斜視図である。
【発明を実施するための形態】
【００１８】
以下、本発明の一実施形態に係るスライダ支持具について、図面を参照しながら説明する。
【００１９】
図１は門柱に郵便受けを取り付ける際に本発明の実施形態にかかるスライダ支持具を使用した状態を示す模式図である。本実施形態にかかるスライダ支持具１は、本発明の取付部材の一例としての門柱１００に、他の部材の一例である郵便受け１０１を取り付ける際に使用される。門柱１００に設けられたＴスロット１０２に挿入されるスライダとしてのナット１０３をＴスロットの所定位置に支持するために使用する。
【００２０】
門柱１００は、両側面にあり溝の一例としてのＴスロットが上下方向に延在する。郵便受け１０１は、門柱１００の正面に配置され、このとき取り付け金具１０４が門柱１００の側面に位置するように構成されている。郵便受けは、当該取付金具１０４を介して門柱１００に取り付けられる。Ｔスロット１０２は、機能性門柱１００の外側面に開口し、当該Ｔスロット１０２内に郵便受け固定用のナット１０３を挿入し所定位置に移動させ、外部からビス止めすることにより取り付け金具１０４を固定する。
【００２１】
図２は、本発明の実施形態にかかるスライダ支持具の構成を示す平面図である。図３は、スライダ支持具の構成を示す側面図である。図４は、スライダ支持具の構成を示す底面図である。本実施形態にかかるスライダ支持具は、合成樹脂や金属などで構成されており、両端にビス通し孔３を有する天板２の裏面に、ナット保持部４と溝押さえ部５とが設けられている。なお、スライダ支持具の材質は、加工性の観点からポリ塩化ビニル樹脂、ポリプロピレン樹脂、ＡＢＳ樹脂等の合成樹脂が好適に使用可能である。
【００２２】
天板２は、厚みはおよそ１ｍｍ程度の細長い板状部材であり、ビス通し孔３間の距離Ｌが取り付け金具１０４のビス孔間の距離に対応するような長さ寸法に構成される。また、天板２の中央部分には、厚み方向に貫通し、天板２の長さ方向に細長いスリット６が２箇所に設けられている。
【００２３】
天板２は、図９及び図１０に示すように、Ｔスロット１０２の開口に設けられた段差１０６の深さに対応した厚みとなっており、機能性門柱１００に使用した場合、その側面に段差を生じさせないようになっている。
【００２４】
ナット保持部４は、図５及び図６に示すように、Ｔスロット１０２の内部に挿入される取り付け金具１０４に使用されるビスと螺合するスライダの一例としてのナット１０３を保持する。ナット保持部４には、ビス通し孔３を挟んで天板２の長さ方向に対向配置された一対の保持爪７が設けられている。
【００２５】
保持爪７は、ナットの寸法に対応した離間距離を持って対向配置される。ナット保持部４は、ナットの外形である６角形の隣り合う２つの側面に当接するように屈折した形状に構成され、ナットの対向する角部分を保持爪７の間に挿入することで、ナット１０３を保持する。保持爪７の屈折部分には、脱落防止部８が設けられ、保持されたナット１０３の脱落を防止する。
【００２６】
また、保持爪７の間には、ビス通し孔３の周囲に台座リブ９が設けられ、天板２を補強して天板２が撓むことによるナット１０３の脱落を防止する。
【００２７】
ナット保持部４がナット１０３を保持した場合、図６に示すように、ナットの雌ネジ１０３ａが天板２のビス通し孔３に対応した位置にくるようになっている。また、例えば、スライダとして図示しないボルトを用いた場合は、ナット保持部４の保持爪７がボルトの頭を保持し、ビス通し孔３にボルトの脚を挿通させるようにして固定することが可能である。
【００２８】
溝押さえ部５は、天板２の中央部分のスリット６が設けられている箇所に対応して設けられた一対の案内リブ１０と、案内リブの外側表面に設けられた滑り止め突起１１とを備えている。
【００２９】
案内リブ１０は、天板２の裏面に垂下するように互いに平行に対向して配置されており、それら間の離間距離Ｄは、Ｔスロット１０２の開口幅と略等しく構成されている。案内リブ１０の高さは、Ｔスロットの開口縁の高さと略同じに構成され、一部分が高くなっており当該部分に落下防止部１２が形成される。落下防止部１２は、図１０に示すように、Ｔスロット１０２の開口縁１０５の下側に位置することで、スライダ保持具が脱落しないように案内する。
【００３０】
滑り止め突起１１は、Ｔスロット１０２の開口の幅方向に変形し、開口縁１０５に当接するように付勢された断面半円形状の突起である。滑り止め突起１１は、スリット６の略中間部分に配置されるように案内リブ１０の外表面に設けられる。
【００３１】
次に、本実施形態にかかるスライダ支持具の使用方法について説明する。本実施形態にかかるスライダ支持具１は、図７に示すように、両端に設けられているナット保持部４にそれぞれナット１０３を取り付けて使用する。ナット１０３の取り付けは、保持爪７の間にナット１０３を嵌め込むことにより、脱落防止部８がナット１０３表面に係止されて、ナットが脱落しないように保持される。
【００３２】
次いで、図８に示すように、ナット１０３を取り付けた状態でスライダ支持具１を機能性門柱１００のＴスロット１０２の上端からスライドさせて、ナット１０３を溝内に挿入する。スライダ支持具１の挿入は、案内リブ１０がＴスロット１０２の開口縁１０５の開口幅に対応して設けられているため、案内リブ１０により案内されてＴスロットへ容易に行うことができる。
【００３３】
また、本実施形態では、天板２は、図９及び図１０に示すように、Ｔスロット１０２の開口に設けられた段差１０６の深さに対応した厚みとなっているため、Ｔスロットの側面に段差が生じることがない。また、開口部分の段差１０６がないＴスロットに適用した場合に開口部分からの天板２の突出量を小さくするために天板２の厚みを薄くしたとしても、案内リブ１０及び台座リブ９で天板２を補強して強度を持たせることが可能であるため、天板２のたわみによるスロットの脱落や破損などの問題を防止できる。
【００３４】
滑り止め突起１１がＴスロット１０２の開口縁１０５に到達すると、図８，図９に示すように、滑り止め突起１１の突出分だけ、天板２のスリット周囲部１３及び案内リブ１０が矢印９０に示すようにスリット６側に撓んで変形する。これにより、案内リブ１０に対して突出して設けられた滑り止め突起１１をＴスロット１０２内に挿入させることができると共に、滑り止め突起１１が開口縁１０５に対して押圧された状態となり、当該押圧力により、スライダ支持具１をＴスロットの任意の位置に位置決めすることができる。
【００３５】
スライダ支持具１を門柱１００の所望の位置に配置させたあと、取り付け金具を門柱１００の側壁に配置し、固定用のビスを脚が天板２のビス通し孔３に挿通するように配置し、ナット１０３と螺合させる。
【００３６】
以上説明したように、本実施形態にかかるスライダ支持具によれば、Ｔスロット１０２の開口縁１０５を滑り止め突起１１で押圧して支持する溝押さえ部５を有するため、スライダ支持具１をＴスロットの任意の位置に位置決めすることができる。また、天板の両端に設けられているナット支持部４は、取り付け金具１０４のビス孔の間隔に対応しているため、いずれかのナット１０３の位置を決定すれば自動的に他方のナット１０３がずれることなく位置決めでき、位置合わせも容易にすることができる。したがって、機能性門柱のような取付部材に対し、郵便受けのような他部材を取り付ける方法において、上記スライダ支持具を用いれば、容易で簡単に所望の位置に取り付けることができる。
【００３７】
なお、本発明は上記実施形態に限定されるものではなく、その他種々の態様で実施可能である。例えば、６角ナットをスライダとして使用した本実施形態では、スライダ保持部の保持爪７は、ナットの形状に対応して屈曲しているが、例えば、スライダとして矩形のＴスロットナット１１３を用いた場合などは、図１１に示すように、保持爪７ａをＴスロットナット１１３のあり溝の延在方向に対向する面１１４に当接するようにナットの形状に応じた形状とすることができる。また、ビス通し孔３は、Ｔスロットナット１１３の突出部分１１５を挿入するように構成してもよい。
【００３８】
また、本実施形態では、１つの天板に２つのナット保持部４を設けているが、１つのナット保持部を備えるように構成することもできる。
【産業上の利用可能性】
【００３９】
本発明に係るスライダ支持具は、門柱などに適用されるほか、あり溝を有する種々の部材に他部材を取り付けるために広く適用することが可能である。
【符号の説明】
【００４０】
１  スライダ支持具
２  天板
３  ビス通し孔
４  ナット保持部
５  溝押さえ部
６  スリット
７  保持爪
８  脱落防止部
９  台座リブ
１０  案内リブ
１１  滑り止め突起
１２  落下防止部
１３  スリット周囲部
１００  門柱
１０１  郵便受け
１０２  Ｔスロット
１０３  ナット
１０４  取り付け金具
１０５  開口縁
【図１】
0006600467.tif 000002
【図２】
0006600467.tif 000003
【図３】
0006600467.tif 000004
【図４】
0006600467.tif 000005
【図５】
0006600467.tif 000006
【図６】
0006600467.tif 000007
【図７】
0006600467.tif 000008
【図８】
0006600467.tif 000009
【図９】
0006600467.tif 000010
【図１０】
0006600467.tif 000011
【図１１】
0006600467.tif 000012